(57)【要約】      （修正有）【課題】簡便な構造であり、かつ、開口部を開放したときに、搬送カート周辺の人の通行や作業を妨げることを抑制することができる、搬送カートを提供する。【解決手段】搬送カートは、収容物を収容する略立方体形状の収容部１と、収容部の正面側の開口部１２を開閉する屈曲扉と、を備える。屈曲扉は、収容部の正面側の幅方向一端部の上下方向に回動軸ＰＡを有し、収容部の側壁１１ａに略平行に当接する位置まで回動可能である。屈曲扉は、上下方向に屈曲軸ＢＡを備え、屈曲軸を中心に屈曲し、収容部の側壁に重ね合わせて収納される。【選択図】図２
0003226630.tif 000002
【実用新案登録請求の範囲】
【請求項１】
収容物を収容し、移動可能な搬送カートであって、
該収容物を収容する筐体の収容部と、該収容部の正面側に設けられた開口部を開閉する扉と、を備え、
該扉は、該収容部の該正面側の幅方向一端部の上下方向に回動軸を有し、該収容部の側壁に略平行に当接する位置まで回動可能であり、該扉の上下方向に屈曲軸を備え、該扉が該屈曲軸を中心に屈曲可能である、ことを特徴とする搬送カート。
【請求項２】
収容物を収容し、移動可能な搬送カートであって、
該収容物を収容する筐体の収容部と、該収容部の正面側に設けられた開口部を開閉する両開き扉と、を備え、
該両開き扉は、該収容部の該正面側の幅方向両端部の上下方向にそれぞれ回動軸を有し、該収容部の側壁に略平行に当接する位置までそれぞれが回動可能であり、該両開き扉の一方の扉の上下方向に屈曲軸を備え、該一方の扉が該屈曲軸を中心に屈曲可能である、ことを特徴とする搬送カート。
【請求項３】
前記収容部の前記正面側の幅が奥行の２〜３倍の長さであり、
前記屈曲軸が前記一方の扉の幅方向の略中央に備えられ、
前記両開き扉の幅方向の長さの比が、該一方の扉：他方の扉＝略２：１である、ことを特徴とする請求項２に記載の搬送カート。
【考案の詳細な説明】
【技術分野】
【０００１】
本考案は、収容物を収容し、移動可能な搬送カートに関する。
【背景技術】
【０００２】
搬送カートは、例えば、医療や介護の施設では、医療機器や医薬品が収容され、施設内を移動して、治療室や病室などに収容物を届けるために使用される。また、宿泊施設では、飲食物や宿泊備品が収容され、宿泊施設内を移動して、客室や食堂などに収容物を届けるために使用される。引用文献1には、医療機器や医薬品の盗難や誤使用を防ぐため、搬送カートの収容部の開口部に開閉自在なシャッター部材を備える搬送カートが記載されている。この従来の搬送カートは、開口部を開放させる際に、シャッター部材が開口部から収容部の背面に移動することによって、開口部が開放される。このとき、開口部の扉となるシャッター部材が収容部の背面側の内部に収納され、収容部の外側には突出しないため、この搬送カートは、搬送カート周辺の人の通行や作業を妨げることを防止している。
【先行技術文献】
【特許文献】
【０００３】
【特許文献１】国際公開ＷＯ２０１１／１１５２６３号
【考案の概要】
【考案が解決しようとする課題】
【０００４】
しかしながら、従来のシャッター部材を備える搬送カートは、シャッター部材が開口部から収容部の背面側に移動するものであるため、構造が複雑であるという課題があった。
【０００５】
本考案は、上述の点に鑑みてなされたものであり、簡便な構造であり、かつ、開口部を開放したときに、搬送カート周辺の人の通行や作業を妨げることを抑制することができる、搬送カートを提供することを目的とする。
【課題を解決するための手段】
【０００６】
本考案に係る搬送カートは、収容物を収容し、移動可能な搬送カートであって、
該収容物を収容する筐体の収容部と、該収容部の正面側に設けられた開口部を開閉する扉と、を備え、
該扉は、該収容部の該正面側の幅方向一端部の上下方向に回動軸を有し、該収容部の側壁に略平行に当接する位置まで回動可能であり、該扉の上下方向に屈曲軸を備え、該扉が該屈曲軸を中心に屈曲可能である、ことを特徴とする。
【０００７】
本考案に係る搬送カートによれば、扉によって収容部の開口部を開閉することができるため、簡便な構造とすることができる。また、扉が、屈曲軸を中心に屈曲可能であるため、収納時の扉の幅方向の長さを短くすることができる。このため、扉が、収容部の開口部を開放し、収容部の側壁に重ね合わせられる位置まで回動され収納されたとき、扉が、収容部の側壁から後方に突出する長さを抑え又は突出することなく、収納されるため、搬送カート周辺の人の通行や作業を妨げることを抑制することができる。
【０００８】
また、本考案に係る搬送カートは、収容物を収容し、移動可能な搬送カートであって、
該収容物を収容する筐体の収容部と、該収容部の正面側に設けられた開口部を開閉する両開き扉と、を備え、
該両開き扉は、該収容部の該正面側の幅方向両端部の上下方向にそれぞれ回動軸を有し、該収容部の側壁に略平行に当接する位置までそれぞれが回動可能であり、該両開き扉の一方の扉の上下方向に屈曲軸を備え、該一方の扉が該屈曲軸を中心に屈曲可能である、ことを特徴とする。
【０００９】
本考案に係る搬送カートによれば、両開き扉によって収容部の開口部を開閉することができるため、簡便な構造とすることができる。また、両開き扉の一方の扉が、屈曲軸を中心に屈曲可能であるため、収納時の扉の幅方向の長さを短くすることができる。このため、両開き扉が、収容部の開口部を開放し、収容部の側壁に重ね合わせられる位置まで回動され収納されたとき、両開き扉の一方の扉が、収容部の側壁から後方に突出する長さを抑え又は突出することなく、収納されるため、搬送カート周辺の人の通行や作業を妨げることを抑制することができる。
【００１０】
ここで、上記搬送カートにおいて、前記収容部の前記正面側の幅が奥行の２〜３倍の長さであり、
前記屈曲軸が前記一方の扉の幅方向の略中央に備えられ、
前記両開き扉の幅方向の長さの比が、該一方の扉：他方の扉＝略２：１である、ものとすることができる。
【００１１】
これによれば、開口部を開放して両開き扉が収容部の側壁に収納されたとき、両開き扉の一方の扉及び他方の扉のそれぞれが、収容部の側壁から後方に突出することがなく、搬送カート周辺の人の通行や作業を妨げることをより抑制することができる。
【考案の効果】
【００１２】
本考案に係る搬送カートによれば、簡便な構造でありながら、開口部を開放したときに、搬送カート周辺の人の通行や作業を妨げることを抑制することができる。
【図面の簡単な説明】
【００１３】
【図１】本考案の実施形態の搬送カートの正面側からの斜視図である。
【図２】同搬送カートの両開き扉を開いた状態の正面側からの斜視図である。
【図３】Ａは両開き扉を開いた状態の平面図、Ｂは両開き扉を収容部の側壁に重ね合わせて収納させた状態の平面図である。
【図４】他方の扉の上側の回動軸部分の拡大分解斜視図である。
【図５】上側の屈曲軸部分の拡大分解斜視図である。
【考案を実施するための形態】
【００１４】
以下、本考案に係る搬送カートを図面に基づいて説明する。なお、実施形態の搬送カートは、医療や介護の施設で使用される医薬品を搬送する搬送カート（与薬カート）を例に説明するが、これに限定されるものではない。搬送カートは、図１に示すように、医薬品を収容する外観形状が略立方体形状の筐体の収容部１と、収容部１の正面側の開口部１２を開閉する両開き扉２と、を備える。搬送カートは、医師等が患者の状態に応じて処方した医薬品が収容され、施設内を移動して、それぞれの患者の病室等に医薬品を届けるために使用される。なお、本明細書において、搬送カートの向きは、図１に示すように、収容部１の開口部１２を有する側を前とし、背面板１１ｂを有する側を後とする。上下左右は、搬送カートを前側から見た際の上下左右とし、図示で使用する、ＦＲは前、ＲＥは後、ＵＰは上、ＤＯは下、ＬＥは左、ＲＩは右を示す。
【００１５】
収容部１は、図２に示すように、正面側（前側）に開口した開口部１２を有する外観形状が略立方体形状の筐体であり、鋼板を加工して形成される。収容部１の後側の背面板１１ｂには金網が使用され、後側からでも収容部１に収容された医薬品を視認することができるようになっている。収容部１の左右の幅Ｗ（図１）は、収容部１の奥行Ｄ（前後方向の長さ）の２．２倍の長さである。
【００１６】
収容部１は、側壁１１ａの内側に、薬品棚１４や作業用台板（図示せず）を設置して固定する棚受１５が上下方向に配置され、複数の薬品棚１４を設置することにより、搬送カートの収納面積を増大させることができ、また、前方に引き出し可能な作業用台板を設置することにより、作業用台板の上に医薬品などを置いたりして、使用者の作業性の向上を図ることができる。
【００１７】
収容部１の底部には、車輪によって移動を可能にするキャスター部材１３が備えられ、施設内の移動を容易なものにしている。
【００１８】
両開き扉２は、左右の幅が収容部１の左右の幅Ｗに等しく、図１に示すように、一方の扉としての左側の扉が幅方向（左右方向）の略中央の上下方向に屈曲軸ＢＡを有する屈曲扉２１で構成され、他方の扉としての右側の扉が屈曲軸ＢＡを有さない平面扉２４で構成される。屈曲扉２１は、屈曲軸ＢＡを介して、収容部１側の第１扉２２と先端側の第２扉２３とから構成される。第１扉２２、第２扉２３及び平面扉２４は、それぞれ、枠体が鋼材から形成され、枠体の内側が透光性を有するアクリル板から形成されている。両開き扉２のそれぞれの内側が透光性を有するアクリル板であるため、搬送カートは、両開き扉２で閉じられた状態であっても、収容部１に収容された医薬品を収容部１の前側から視認することができるようになっている。
【００１９】
第１扉２２及び平面扉２４は、図１、図２に示すように、収容部１に対して、抜差し可能な抜差し蝶番２５によって上下方向を軸にして回動可能に軸支され、回動することによって、開口部１２に対して開閉可能としている。抜差し蝶番２５は、図４に示す如く、収容部１側に、軸部２５ａを、平面扉２４及び第１扉２２側に、軸受部２５ｂを、それぞれ上下方向に３つ備え、平面扉２４及び第１扉２２は、軸部２５ａを回動軸ＰＡとして、回動可能に軸支される。
【００２０】
第１扉２２と第２扉２３は、上下方向の３ヶ所の平蝶番２６（図５）によって連結され、平蝶番２６を屈曲軸ＢＡとして屈曲可能なものとしている。
【００２１】
図１に示すように、両開き扉２は、屈曲扉２１と平面扉２４の幅方向の長さの比が、Ｌ１：Ｌ４＝略２：１である。屈曲扉２１は、第１扉２２と第２扉２３の幅方向の長さの比が、Ｌ２：Ｌ３＝略１：１である。つまり、両開き扉２は、第１扉２２と第２扉２３と平面扉２４の幅方向の長さの比が、Ｌ２：Ｌ３：Ｌ４＝略１：１：１である。両開き扉２の左右の幅が、収容部１の左右の幅Ｗに等しく、収容部１の奥行Ｄの２．２倍の長さであるため、第１扉２２、第２扉２３、平面扉２４（Ｌ２、Ｌ３、Ｌ４）のそれぞれの幅方向の長さは、収容部１の奥行Ｄより短いものとなる。
【００２２】
図３Ｂに示すように、両開き扉２は、収容部１の側壁１１ａに略平行に当接する位置まで回動され収納される。平面扉２４の略２倍の横幅の屈曲扉２１は、左右方向の略中央の平蝶番２６の屈曲軸ＢＡ（図５）によって２つに屈曲されるため、収納時の幅が平面扉２４の幅とほぼ等しくなる。このため、両開き扉２の一方の扉の屈曲扉２１が収容部１の側壁１１ａから後方に突出することなく、収納されるため、搬送カート周辺の人の通行や作業を妨げることを抑制することができる。
【００２３】
図１に示すように、平面扉２４及び第１扉２２の先端外側の上下のそれぞれに、第２扉２３の先端内側の上下に、脱着可能な貼付部材としてのネオジム磁石（マグネット２７）が備えられ、収納時の平面扉２４及び屈曲扉２１の遊動を抑制し、搬送カート周辺の人の通行や作業を妨げることを抑制する。
【００２４】
図１に示すように、搬送カートは、両開き扉２に、シリンダー鍵２８が備えられ、施錠することにより、医薬品の誤使用を防ぐことができる。また、搬送カートは、第２扉２３の先端外側に、取手２９が備えられ、屈曲扉２１の開閉を容易なものにしている。
【００２５】
次に、実施形態の搬送カートの使用方法について説明する。搬送カートは、収容部１に医師等が処方した医薬品が収容され、医療や介護の施設の床面を移動して、それぞれの患者の病室等に医薬品を届ける。
【００２６】
使用者（看護師など）が医薬品を患者に渡す際、搬送カートの両開き扉２を開け、開口部１２を開放する。このとき、図３Ａに示すように、両開き扉２の横幅の１／３を占める平面扉２４は、収容部１の前側の右側端部の抜差し蝶番２５（回動軸ＰＡ）を支軸に回動し、収容部１の側壁１１ａに略平行に当接する位置まで回動され収納される。両開き扉２の左右の幅は、収容部１の左右の幅Ｗに等しく、収容部１の奥行Ｄの２．２倍の長さであるため、図３Ｂに示す如く、平面扉２４は、収納されたとき、収容部１の後方に突出しないものとなる。また、マグネット２７によって、平面扉２４は、側壁１１ａに貼付され、遊動が抑制される。このため、搬送カート周辺の人の通行や作業を妨げることを抑制することができる。
【００２７】
両開き扉２の左右の幅が収容部１の奥行の２．２倍の長さであるため、両開き扉２の左右の幅の２／３を占める屈曲扉２１は、収納されたとき、屈曲させないと収容部１の後方に突出することになる。しかし、図３Ａに示すように、屈曲扉２１は、左右方向の略中央の平蝶番２６の屈曲軸ＢＡによって２つに屈曲可能な構造であるため、屈曲させることにより、収納時の幅が平面扉２４の収納時の幅と略等しくなる。このため、図３Ｂに示す如く、屈曲扉２１は、屈曲され、収納されたとき、収容部１の後方に突出しないようになる。また、マグネット２７によって、屈曲扉２１は、第１扉２２が鋼板からなる側壁１１ａに、第２扉２３のが第１扉２２の鋼材からなる枠体に、それぞれ貼付され、遊動が抑制される。このため、搬送カート周辺の人の通行や作業を妨げることを抑制することができる。
【００２８】
搬送カートの両開き扉２の開閉の際、使用者は、両開き扉２に設けられた取手２９を掴んで開閉することにより、開閉を容易に行うことができる。また、両開き扉２に備えられたシリンダー鍵２８を用いて、施錠することにより、医薬品の誤使用を防ぐことができる。
【００２９】
また、実施形態の搬送カートは、その構成を以下のような形態に変更しても実施することができる。
【００３０】
実施形態の搬送カートでは、収容部１の左右の幅Ｗは、収容部１の奥行Ｄの２．２倍の長さとしたが、収容部１の奥行Ｄの２〜３倍の長さとすることができる。２つ折りにした屈曲扉２１が収容部１の側壁１１ａから後方に突出しないためである。
【００３１】
実施形態の搬送カートでは、両開き扉２は、一方の扉を屈曲扉２１、他方の扉を屈曲しない平面扉２４としたが、両方の扉を屈曲扉２１とすることができる。この場合、収容部１の左右の幅Ｗは、収容部１の奥行Ｄの２〜４倍の長さとすることができる。２つ折りにした屈曲扉２１が収容部１の側壁１１ａから後方に突出しないためである。
【００３２】
実施形態の搬送カートでは、扉は、上下方向に屈曲軸ＢＡを有する屈曲扉２１と平面扉２４とで構成された両開き扉２としたが、屈曲扉２１のみからなる片開き扉を使用することもできる。
【００３３】
実施形態の搬送カートでは、両開き扉２は、収容部１の正面側に設けたが、さらに、収容部１の背面側にも開口部を設け、背面側にも両開き扉２を設けることができる。
【００３４】
実施形態の搬送カートでは、両開き扉２は、第１扉２２と第２扉２３と平面扉２４の幅方向の長さの比が、Ｌ２：Ｌ３：Ｌ４＝略１：１：１であるものとしたが、Ｌ２、Ｌ３、Ｌ４のそれぞれの幅方向の長さが収容部１の奥行Ｄより短いことを条件に、Ｌ２、Ｌ３、Ｌ４のそれぞれの幅方向の長さを自由に設定することができる。
【００３５】
実施形態の搬送カートでは、収容部１の側壁１１ａに脱着可能な貼付部材としてマグネット２７を使用したが、貼付部材として吸盤を使用することもできる。この場合、収容部１は、形成される素材が鋼材に限定されず、アクリル重合体やスチレン重合体などのプラスチック、木材なども使用することができる。
【符号の説明】
【００３６】
１…収容部、２…両開き扉、１１ａ…側壁、１１ｂ…背面板、１２…開口部、１３…キャスター部材、１４…薬品棚、１５…棚受、２１…屈曲扉、２２…第１扉、２３…第２扉、２４…平面扉、２５…抜差し蝶番、２５ａ…軸部、２５ｂ…軸受部、２６…平蝶番、２７…マグネット、２８…シリンダー鍵、２９…取手、Ｄ…奥行、Ｗ…幅、ＢＡ…屈曲軸、ＰＡ…回動軸。
【図１】
0003226630.tif 000003
【図２】
0003226630.tif 000004
【図３】
0003226630.tif 000005
【図４】
0003226630.tif 000006
【図５】
0003226630.tif 000007